(57)【要約】【課題】束石の上に床材を敷設する建物の床工法及び床構造に関し、経済効果に優れた床改修工法及び床構造を提供することを課題とする。【解決手段】床スラブ２に所定間隔をおいて立設された束石４、これら束石の上に架設される木製の大引材８及び根太材１０、さらにこの上に捨貼り材１２、フローリング材１４が敷設された床構造を改修する床改修工法において、上記フローリング材１４及び上記捨貼り材１２を剥がし、上記束石の上に高さ調整具２０を固着しこの上部に緩衝材６を配置するとともに、当該緩衝材の上に上記大引材８を載置し、これら高さ調整具２０を調節して上記大引材８、上記根太材１０の高さを一定に調整し、上記根太材の上に捨貼り材１３、フローリング材１５を敷設する床改修工法である。【選択図】  図２
2004150016.tif 000002
【特許請求の範囲】
【請求項１】
床スラブに所定間隔をおいて立設された束石、これら束石の上に架設される木製の大引材及び根太材、さらにこの上に捨貼り材、フローリング材が敷設された床構造を改修する床改修工法において、
上記フローリング材及び上記捨貼り材を剥がし、
上記束石の上に高さ調整具を固着しこの上部に緩衝材を配置するとともに、当該緩衝材の上に上記大引材を載置し、
これら高さ調整具を調節して上記大引材、上記根太材の高さを一定に調整し、上記根太材の上に捨貼り材、フローリング材を敷設することを特徴とする床改修工法。
【請求項２】
上記高さ調整具は、上板部、下板部、及びこれら板部間の四隅近傍に設けられ、上記上板部の高さを調節ナットで調節する支持ボルトからなり、上記上板部の上面に上記緩衝材を介して上記大引材を載置する溝部を有することを特徴とする請求項１に記載の床改修工法。
【請求項３】
床スラブの上に所定間隔をおいて立設された束石と、
これら束石の上部に介在し、下板部と高さ調節可能な上板部が設けられた高さ調整具と、
当該高さ調整具の上に配置される緩衝材と、
これら緩衝材の上部に架設され、上記高さ調整具により高さが一定に調整される木製の大引材と、
上記各大引材の上部に、これらの大引材と交差して配置される根太材と、
これら根太材の上に敷設される捨貼り材及びフローリング材と、を有することを特徴とする床構造。
【請求項４】
床スラブに所定間隔をおいて立設された束石、これら束石の上に架設される大引材及び根太材、さらにこの上に捨貼り材、フローリング材が敷設された床構造を改修する床改修工法において、
上記フローリング材及び捨貼り材を剥がし、さらに上記根太材及び大引材を取り除いた後、
上記束石の上部に、弾性材が装着された高さ調整具を配置し、
これら高さ調整具間に、上記弾性材を介在させて鋼製の大引材を架設し、
上記高さ調整具を調節して上記大引材の高さを一定に調整し、
上記各大引材の上に、これら大引材と交差して根太材を所定間隔をおいて配置し、
これら根太材の上に捨貼り材及びフローリング材を敷設することを特徴とする床改修工法。
【請求項５】
上記高さ調整具は、基板に所定の間隔をおいて立設された２本の支持ボルト、これら支持ボルトに架設され、各支持ボルトの上部に螺合された調節ナットにより高さ調整可能な支持板、この支持板の上部に固定され、弾性材を介して上記大引材を支える受け具、を有することを特徴とする請求項４に記載の床改修工法。
【発明の詳細な説明】
【０００１】
【発明の属する技術分野】
本発明は、束石の上に床材を敷設する建物の床改修工法及び床構造に関する。
【０００２】
【従来の技術】
従来、建造物の床の改修工法に関する文献として特許文献１〜特許文献４等が開示されているが、これらは何れも住宅における床をフローリング床、或いはバリアフリーの床に改修する工法に関するものである。
【０００３】
【特許文献１】
特開２００２−８８９６１号公報
【特許文献２】
特開２００１−１０７５３９号公報
【特許文献３】
特開２００１−１０７５３８号公報
【特許文献４】
特開平１０−３１１１３３号公報
【０００４】
本願出願人は、体育館などの比較的大規模な建物における束石を利用した床構造の改修に着目し、その床改修工法を発案したものである。したがって、上記各特許文献に記載の工法とは関連も少なく、またこれらの工法は床を束石で支持する床構造のものではない。
【０００５】
従来の体育館、柔剣道場などの床構造は、図７に示すように、地肌のままの床スラブ２に複数の束石４を碁盤の目状に一部を埋設して立設し、この上にコイルスプリング、リングダンパー等の緩衝材６を配置し、さらにこの上に木製の大引材８、木製の根太材１０、捨貼り材１２、仕上げ用のフローリング材１４の順に敷設される。
【０００６】
【発明が解決しようとする課題】
このような床の改修にあたって、束石４を撤去し、床スラブにコンクリートを打設して床支持装置を設置し、この上に床材を敷設する工法が考えられる。しかし、この工法では、束石４等を撤去するのに大変な工事が伴い、また室内から室外への運搬作業にも時間を要し、さらには束石４等が産業廃棄物になるという問題がある。
【０００７】
また、束石の撤去、コンクリートの打設に多大な改修費用を要するという問題がある。このため、束石（コンクリート製床束、ブロック製床束）を撤去することなく、これを再利用することが望まれる。
【０００８】
さらに、束石４はその高さや隣接する束石４間の間隔が一定となっておらず、また束石４は床上での運動衝撃、地盤沈下などで大引材８との間に隙間が生じている場合があるので、単に捨貼り材１２、及びフローリング材１４を取り替えれば良いというものではなく、上記隙間をなくする必要がある。なお従来も、束石４と緩衝材６との間には木片などを差し込んで高さの調整が行われているが、長年の運動衝撃により、ずれたり脱着により緩衝材が役に立たない箇所が見られていた。
【０００９】
本発明は、上記問題点に鑑みてなされたものであり、束石を利用した床構造に関し経済効果に優れた建物の床改修工法及び床構造を提供することを目的とする。
【００１０】
【課題を解決するための手段】
以上の技術的課題を解決するため、本発明に係る床改修工法は、図７、図１及び図２に示すように、床スラブ２に所定間隔をおいて立設された束石４、これら束石の上に架設される木製の大引材８及び根太材１０、さらにこの上に捨貼り材１２、フローリング材１４が敷設された床構造を改修する床改修工法において、上記フローリング材１４及び上記捨貼り材１２を剥がし、上記束石の上に高さ調整具２０を固着しこの上部に緩衝材６を配置するとともに、当該緩衝材の上に上記大引材８を載置し、これら高さ調整具２０を調節して上記大引材８、上記根太材１０の高さを一定に調整し、上記根太材の上に捨貼り材１３、フローリング材１５を敷設することである。
【００１１】
また、上記高さ調整具２０は、上板部２４、下板部２６、及びこれら板部間の四隅近傍に設けられ、上記上板部の高さを調節ナット３０，３１で調節する支持ボルト２８からなり、上記上板部２４の上面に上記緩衝材６を介して上記大引材８を載置する溝部を有するものである。
【００１２】
本発明に係る床構造は、床スラブ２の上に所定間隔をおいて立設された束石４と、これら束石の上部に介在し、下板部と高さ調節可能な上板部が設けられた高さ調整具２０と、当該高さ調整具の上に配置される緩衝材６と、これら緩衝材の上部に架設され、上記高さ調整具により高さが一定に調整される木製の大引材８と、上記各大引材の上部に、これらの大引材と交差して配置される根太材１０と、これら根太材１０の上に敷設される捨貼り材１３及びフローリング材１５と、を有するものである。
【００１３】
本発明に係る床改修工法は、図７、図３乃至図６に示すように、床スラブ２に所定間隔をおいて立設された束石４、これら束石の上に架設される大引材８及び根太材１０、さらにこの上に捨貼り材１２、フローリング材１４が敷設された床構造を改修する床改修工法において、上記フローリング材１４及び捨貼り材１２を剥がし、さらに上記根太材１０及び大引材８を取り除いた後、上記束石の上部に、弾性材６２が装着された高さ調整具４０を配置し、これら高さ調整具間に、上記弾性材を介在させて鋼製の大引材８２を架設し、上記高さ調整具を調節して上記大引材の高さを一定に調整し、上記各大引材の上に、これら大引材８２と交差して根太材８４を所定間隔をおいて配置し、これら根太材の上に捨貼り材８６及びフローリング材８８を敷設することである。
【００１４】
また、上記高さ調整具４０は、基板４２に所定の間隔をおいて立設された２本の支持ボルト４４、これら支持ボルトに架設され、各支持ボルトの上部に螺合された調節ナット４６，４７により高さ調整可能な支持板４８、この支持板の上部に固定され、弾性材６２を介して上記大引材を支える受け具５０、を有するものである。
【００１５】
【発明の実施の形態】
以下、本発明の実施の形態に係る床改修工法及び床構造を図面に基づいて説明する。第一の実施の形態に係る床改修工法の基礎となる床構造は、上記図７に示すように、床スラブ２に立設された束石４（コンクリート製束石、ブロック製束石など）の上に床材を構築したものである。
【００１６】
上記束石４は、床スラブ２に碁盤の目状に配置され、各束石４の上面部にコイルスプリング、リングダンパー、ゴム等の緩衝材６を置き、各緩衝材６の上部に固定された大引受具７に木製の大引材８が架設され止着具９により固定されている。各大引材８間にはこれと直交する向きに木製の根太材１０が載置され、これら根太材１０の上に捨貼り材１２、フローリング材１４が敷設されている。
【００１７】
そして、この実施の形態に係る床構造では、上記床構造を改修するに際して、改修前の束石４は、隣接する束石と水平でなく、また束石の位置は直線状に位置していない場合が多々あった。このため、上記束石４と緩衝材６との間に図１に示す高さ調整具２０を介在させ、束石４の高さのばらつき等を補正し、緩衝材６の支持を安定させる。上記高さ調整具２０は、図１（ａ）（ｂ）（ｃ）に示すように鋼製の上板部２４、下板部２６、及びこれら板部間の四隅に設けられた支持ボルト２８及び上板部２４の高さを調整する調節ナット３０，３１からなる。
【００１８】
上記下板部２６は、平坦な矩形状の板材であり、四隅の近傍には溶着により頭部３６が固定された支持ボルト２８が立設されている。上記上板部２４は矩形状の板体であり、中央に溝部３２が、またこの左右にはフランジ部３４，３５が形成されている。また、上板部２４には、上記下板部２６の四隅に該当する位置に孔部３３が設けられている。
【００１９】
上記高さ調整具２０は、各支持ボルト２８の上部に一の調節ナット３０を螺合し、この上から上板部２４の各孔部３３を嵌め、さらに他の調節ナット３１をねじ込み上板部２４を固定する。この高さ調整具２０は、調節ナット３０，３１の位置を調節して上板部２４の高さを増減する。
【００２０】
さて、この実施の形態に係る床改修工法では、上記図７における束石４、緩衝材６、大引材８及び、根太材１０は撤去せず、これらを利用して床を改修する。先ず、旧の古くなったフローリング材１４、及び捨貼り材１２を剥がして除去する。そして旧の緩衝材６、大引材８、根太材１０に損傷などがなければこれらを再利用し、損傷がある場合はその部分を新しい部材と交換する。
【００２１】
次に図２に示すように、束石４と緩衝材６との間に上記高さ調整具２０を介在させる。このとき、束石４の上面部に接着材７６を塗布し、高さ調整具２０を接着固定する。これにより、高さ調整具２０は束石４に強固に固定され、また緩衝材６は上板部２４の溝部３２に安定して配置される。上記高さ調整具２０は、調節ナット３０，３１を回して上板部２４を上下移動させ、上部の緩衝材６に支持された大引材８、根太材１０の高さを一定に調整する。こうして、床全面の水平基準を設定後、新たな捨貼り材１３を根太材１０の上に敷設し、さらにフローリング材１５を敷設して仕上げる。
【００２２】
なお、他の床構造で緩衝材の配置されていないものがあるが、このような床構造であっても、上記実施の形態のように、束石の上面部に上記高さ調整具２０を載置固定し、これと大引材との間に緩衝材６を介在させるようにしてもよい。
【００２３】
従って、上記実施の形態によれば、束石を撤去せずに、再利用して床の改修が行えることにより、改修費用が低減され、また束石を産業廃棄物にしなくて済む。加えて、緩衝材、大引材、根太材などに損傷などがなければこれを再利用するので、これも産業廃棄物とならず、改修費用も低減される。さらに、従来の束石は、隣接する束石の間隔が一定となってなく、束石の高さも一定に敷設されていないために、床の水平レベル調整が困難であったが、高さ調整具を束石に固定することで水平レベル調整が容易に行えるので、工事の施工性にも優れ、また緩衝材により良好に床衝撃が緩和されるという効果がある。
【００２４】
次に、第二の実施の形態に係る床改修工法及び床構造について説明する。この実施の形態では、上記図７における束石４のみを残して床を改修する。このため、旧の古くなったフローリング材１４、及び捨貼り材１２を剥がして撤去し、さらに緩衝材６、大引材８、根太材１０を取り外して撤去する。
【００２５】
図３は、この実施の形態に用いられる高さ調整具４０を示したものである。この高さ調整具４０は、図４に示すように、床スラブ２の上に配置された束石４と大引材８２との間に介在させ、大引材８２の高さを調整する。
【００２６】
この高さ調整具４０は、図３に示すように、鋼製の基板４２に所定の間隔をおいて立設された２本の支持ボルト４４、この上部に螺合された高さの調節ナット４６，４７、これらの支持ボルト４４に架設される支持板４８、この支持板４８の上部に溶着固定された受け具５０、及び受け具５０の左右上部を連結するボルト５２及びナット５４からなる。この高さ調整具４０は、上記調節ナット４６，４７をそれぞれ回して、支持板４８、受け具５０の高さを調節する。
【００２７】
上記支持板４８は断面ハット状で、中央部に溝部５６が、またその左右にはフランジ部５８，５９が形成されている。上記支持ボルト４４は、その頭部４５が基板４２に溶着され、またこれらは上記支持板４８の中心線から偏った位置に固定されている。そして支持板４８のフランジ部５８，５９には、それぞれ中央部から逆方向に偏った位置に孔部が設けられ、これらに支持ボルト４４が挿通固定され、上記ボルト５２及びナット５４の取付けの邪魔にならないようにしている。
【００２８】
上記受け具５０は断面Ｕ字状に形成され、この内部面に沿って断面Ｕ字状のゴム、合成樹脂等からなる弾性材６２が固着されている。また、この受け具５０は、底板部６４の両側から側板部６６，６７が立設され、これら側板部６６，６７間はボルト５２、ナット５４で連結固定されている。上記基板４２には、複数の孔部７４が設けられている。
【００２９】
この実施の形態に係る床改修工法では、先ず、図７に示す古いフローリング材１４、捨貼り材１２を剥がし、さらに、根太材１０、大引材８、緩衝材６を取り外してそれぞれ撤去する。この後、図４、図５に示す床構造を構築する。先ず、残された束石４の上面部に接着材７６を塗布し、ここに高さ調整具４０を接着固定する。この際、基板４２の孔部７４から、接着材７６が湧き出て基板２の上面の一部を覆うので、高さ調整具４０の固定が強固になる。
【００３０】
次に、上記高さ調整具４０間に鋼製の大引材８２を架設する。この大引材８２は、断面矩形状の角管である。大引材８２は、上記受け具５０内の弾性材６２によって保持され、受け具５０上部に渡されたボルト５２、ナット５４で締着されている。この弾性材６２の緩衝効果により、床面から大引材８２に伝わる衝撃が緩和される。
【００３１】
大引材８２の取付け後、高さ調整具４０の調節ナット４６，４７を回して大引材８２の高さを一定に調整し、床全面の水平基準を設定する。この後、断面ハット状の鋼製の根太材８４を大引材８２と直行する方向に配置し、ビス６５を用いて大引材８２に固定する。図６は大引材８２及び根太材８４を敷設した後の平面を示したものであり、必要に応じて、点検用のハッチ７８を設ける。そして、根太材８４の上に新たな捨貼り材８６、フローリング材８８を敷設して仕上げる。
【００３２】
従って、上記第二の実施の形態によれば、束石を撤去せずに、再利用して床の改修が行えることにより、改修費用が低減され、また束石を産業廃棄物にすることもない。また、従来の束石は、隣接する束石の間隔が一定となってなく、束石の高さも一定に敷設されていないために、床の水平レベル調整が困難であったが、高さ調整具によって水平レベル調整が容易に行えて施工性に優れ、また高さ調整具の弾性材により良好に床衝撃が緩和されるという効果がある。
【００３３】
【発明の効果】
以上説明したように、本発明に係る床改修工法によれば、フローリング材及び捨貼り材を剥がし、束石の上に高さ調整具を固着しこの上部に緩衝材を配置し、高さ調整具を調節して大引材、根太材の高さを一定に調整し、根太材の上に捨貼り材、フローリング材を敷設することとしたから、束石の撤去による産業廃棄物の発生もなく、束石を再利用して床の改修が行えて経済効果に優れ、また大引材、根太材なども再利用するので費用が低減され、さらに、高さ調整具によって水平レベル調整が容易に行えて施工性が良く、また緩衝材により良好に床衝撃が緩和されるという効果を奏する。
【００３４】
また、本発明に係る床構造によれば、束石の上部に介在する高さ調整具、この上部に配置される緩衝材、これらの上部に架設され高さが一定に調整される大引材、根太材、これら根太材の上に敷設される捨貼り材及びフローリング材を有するものとしたから、床スラブへのコンクリートの打ち込み等の工事が不要で経済的であり、さらに高さ調整具によって水平レベル調整が容易に行えて施工性に優れ、また床衝撃が緩和されるという効果がある。
【００３５】
また、本発明に係る床改修工法によれば、フローリング材及び捨貼り材を剥がし、さらに根太材及び大引材を取り除いた後、束石の上部に弾性材が装着された高さ調整具を配置し、これら高さ調整具間に大引材を架設して高さを一定に調整し、各大引材の上に根太材を配置し、これら根太材の上に捨貼り材及びフローリング材を敷設することとしたから、束石を再利用し床の改修が行えて経済効果に優れ、さらに高さ調節具によって水平レベル調整が容易に行えて施工性が良く、また弾性材により良好に床衝撃が緩和されるという効果を奏する。
【図面の簡単な説明】
【図１】本発明の第一の実施の形態に係る高さ調整具を示す図である。
【図２】第一の実施の形態に係る床構造の部分図である。
【図３】第二の実施の形態に係る高さ調整具である。
【図４】第二の実施の形態に係る床構造の部分側面図である。
【図５】第二の実施の形態に係り、床構造を別方向から見た部分側面図である。
【図６】第二の実施の形態に係り、床構造の下地材を示す部分平面図である。
【図７】従来例に係り、本発明の基礎となる床構造を示す図である。
【符号の説明】
２  床スラブ
４  束石
６  緩衝材
８  （木製）大引材
１０  （木製）根太材
１２  （旧）捨貼り材
１３，８６  捨貼り材
１４  （旧）フローリング材
１５，８８  フローリング材
２０，４０  高さ調整具
２４  上板部
２６  下板部
４２  基板
４４  支持ボルト
４６，４７  調節ナット
４８  支持板
５０  受け具
６２  弾性材
８２  （鋼製）大引材
８４  （鋼製）根太材
【図１】
2004150016.tif 000003
【図２】
2004150016.tif 000004
【図３】
2004150016.tif 000005
【図４】
2004150016.tif 000006
【図５】
2004150016.tif 000007
【図６】
2004150016.tif 000008
【図７】
2004150016.tif 000009